(57)【要約】      （修正有）【課題】災害時の、体育館等大空間での避難所生活に適用するための、自宅のごとき柔らかい畳、温かい布団に対応する、空気式床マット、空気式寝袋を一体化した寝袋マットを提供する。【解決手段】弾力性と保温性を有するエアー注入式である寝袋マットであって、空気注入口４を有し、マット外周は寝袋を形成する開閉ファスナーを有し、且つ寝袋の肩口に当たる開口部にもファスナー２を有し、マットとして樹脂製のシート下地に、寝袋外側は耐摩耗性クロスが貼られ、寝袋内側は保温性クロスが貼られ、付属の枕３も保温性クロスが貼られ、マットの厚さを確保する穴あき仕切りシートをマット内部に有する寝袋マット１と枕と空気入れ５とを備える。【選択図】図１
0003225991.tif 000002
【実用新案登録請求の範囲】
【請求項１】
・寝袋マット−昼間：広げて床マットとして使用、夜間：二つ折にして寝袋として使用出来るよう、開閉用ファスナーをとりつける。
・使用に当たり空気をいれた時、１０ｃｍ程度の厚さを確保するため穴あき仕切りシート（［図４］寝袋マット断面斜視図：１２番）と同様な性能を有する部材等を内側に貼り付ける。
・寝袋マット仕様−片面（寝袋外側）耐磨耗性クロス貼り、片面（寝袋内側）保温性クロス貼りとする。
・付属品として、枕（仕様：マットと同様）と空気入れ（胴径１０センチ程度）を添付しワンセットとする。
上記の特徴を備えた防災用品、寝袋マットであります。
【考案の詳細な説明】
【技術分野】
【０００１】災害時の指定避難所等において、欠く事の出来ない装備品として、是非常備して頂きたい防災用品に関するものであります。
【背景技術】
【０００２】避難所として体育館や講堂等が当てられている訳ですが、冷たく固い床での生活は傍目にも気の毒である。避難者は提供された毛布一枚のみ、夜はその上で横になる昼もその上で一日過ごしている。高齢者にとって、精神面の打撃に加えこれらの環境は体調を崩し危険な状況である。特に冬場においては最悪となる。
【先行技術文献】
【特許文献】
【０００３】
【非特許文献】
【０００４】
【考案の概要】
【考案が解決しようとする課題】
【０００５】  体育館等大空間での避難所生活は冬場においては厳しいものである
・硬く冷たいフローリング床：ゴリゴリ骨に来る
・暖房の無い寒い館内：寝不足・頻尿・水分摂取不良による水不足
・自宅のごとき柔らかい畳、暖かい布団に対応するものとして、エアー式床マット、エアー式寝袋を一体化した寝袋マットの開発です
【課題を解決するための手段】
【０００６】・床敷マット−大きさ２．０ｍ×２．０ｍ、厚さ１０ｃｍ程度のエアー注入式床マットとする
・寝袋      −上記床マットを２つ折りにした１．０ｍ×２．０ｍ程度の大きさとし、枕（３０ｃｍ×５０ｃｍ程度）も付属品として添付
・エアー注入ポンプ（空気入れ）
−大量の空気が入るよう胴径１０ｃｍ程度の手押しポンプとしセットに添付
・マット仕様−ゴム系なり樹脂系なりのシート下地に、外側は耐磨耗性クロス貼り内側は保温性クロス貼りとする
・装備品対策−エアーを抜いた時、２つ折４つ折としコンパクト化を図る事が出来る（サイズ：Ｓ，Ｍ，Ｌサイズ考慮）
上記床マットを寝袋として一体化し、寝袋マットとして開発提供するものであります。
【考案の効果】
【０００７】避難所生活では館内の環境改善は、高齢者にとって朗報である。
就寝中の布団のごとき温かさは、寒さに震えながらの寝不足から解放され体調を保つのに欠くことが出来ない。
昼間の生活も固く冷たい感触はゴリゴリと骨身にしみる、これよりの解放は足、腰、ひざ内臓等持病の悪化を緩やかにしてくれる。
装備品としてもコンパクト化出来収納効率もよい。
枕の効用−・仰向けの時：枕
・うつ伏せの時：胸当て
・座る時：尻当てとして重宝できるものであります。
【図面の簡単な説明】
【０００８】
【図１】  寝袋マット外観図
【図２】  寝袋マット平面図（床敷きマット状態）
【図３】  寝袋マット平面図（二つ折寝袋状態）
【図４】  寝袋マット断面斜視図
【考案を実施するための形態】
【０００９】寝袋マット外観図［図１］に示しますように、
エアー注入式床敷きマットを２つ折にし、添付ファスナーにて袋状に閉じ、付属の空気入れで好みの弾力まで膨らませ使用する。
付属品の枕も好みにあわせ膨らませ利用するものであります。
【実施例】
【００１０】以下、添付図面に従って実施例を説明します。
１の寝袋マットを床敷きマット状（２．０ｍ×２．０ｍ程度）に広げ、２のファスナーにて７のファスナー始点より終点まで綴じて袋状にし寝袋とするものであります。５の空気入れの注入口４も邪魔にならないマットのコーナー部に設置するものとする。
マットも外側を耐摩耗性クロス貼り、内側を保温性クロス貼りとし、１のマット厚さ１０ｃｍ程度を確保する為、マット素材と同様の１２の穴あき仕切りシートを、１１の接着材にて内部に取り付ける。
付属品として、３の枕、５の空気入れを添付し、ワンセットとするものであります。
【符号の説明】
【００１１】１    寝袋マット
２    ファスナー
３    枕
４    空気注入口
５    空気入れ
６    ファスナー開閉方向
７    ファスナー始点
８    中心線
９    内側マットシート
１０  外側マットシート
１１  接着剤
１２  穴あき仕切りシート
１３  通気用開口
【図１】
0003225991.tif 000003
【図２】
0003225991.tif 000004
【図３】
0003225991.tif 000005
【図４】
0003225991.tif 000006
【手続補正書】
【提出日】令和1年8月16日(2019.8.16)
【手続補正１】
【補正対象書類名】実用新案登録請求の範囲
【補正対象項目名】全文
【補正方法】変更
【補正の内容】
【実用新案登録請求の範囲】
【請求項１】
寝袋マット、この製品は弾力性と保温性を確保するためエアー注入式マットを採用するものであります、昼間は広げて床敷きマットとして使用、夜間はこれを二つ折にして寝袋として使用出来るよう、開閉用ファスナーを外周と、もう一つは肩口を閉じるため肩口に取り付け、又コーナー等に取り付けた空気注入口より空気を入れた時、使い勝手の良い厚さとするため穴あき仕切りシートを効果的な間隔で内側に貼り付ける、又マット仕様としてゴム系なり樹脂系なりのシート下地に寝袋外側は耐摩耗性クロス貼り、寝袋内側は保温性クロス貼りとし、又付属品としての枕も保温性クロス貼りとし空気注入口もコーナーに取り付ける、必需品の空気入れは大量の空気が入るよう胴径の大きいものを装備する、これらの特徴を備えた防災用品、寝袋マットであります。
【手続補正書】
【提出日】令和1年10月25日(2019.10.25)
【手続補正１】
【補正対象書類名】実用新案登録請求の範囲
【補正対象項目名】全文
【補正方法】変更
【補正の内容】
【実用新案登録請求の範囲】
【請求項１】
寝袋マット、この製品は弾力性と保温性を確保するためエアー注入式マットを採用するものであり、昼間は広げて床敷きマットとして使用、夜間はこれを二つ折にして寝袋として使用出来るよう、床敷きマット外周にファスナーを取り付けることにより、二つ折にしたマットの２辺を閉じ袋状の寝袋の形とし、肩口に当たる開口部にも肩口用にファスナーを設けこれを開閉する事により、肩口・首周りのマットの密閉性を調節し寒暖の変化に対応出来るようにし、又マット仕様としてゴム系なり樹脂系なりのシート下地に寝袋外側は耐摩耗性クロス貼り、寝袋内側は保温性クロス貼りとし又コーナー部に取り付けた空気注入口から空気を入れる時は使い勝手の良い厚さとするため、穴あき仕切りシートを効果的な間隔でマット内面シートに貼り付けることとし、それから付属の枕も同様の保温牲クロス貼りとし空気注入口もコーナーに設置、又必需品の空気入れは大量の空気が入るよう胴径を大きくし此れを装備する、そしてこれらの特徴を備えた寝袋マット・枕・空気入れをワンセットとした防災用品寝袋マットであります。
【手続補正書】
【提出日】令和2年1月24日(2020.1.24)
【手続補正１】
【補正対象書類名】実用新案登録請求の範囲
【補正対象項目名】全文
【補正方法】変更
【補正の内容】
【実用新案登録請求の範囲】
【請求項１】
弾力性と保温性を有するエアー注入式である寝袋マットであって空気注入口を有し、マット外周は寝袋を形成する開閉ファスナーを有し、且つ寝袋の肩口に当たる開口部にもファスナーを有し、マットとして樹脂製のシート下地に、寝袋外側は耐摩耗性クロスが貼られ、寝袋内側は保温性クロスが貼られそして付属の枕も保温性クロスがが貼られ、マットの厚さを確保する穴あき仕切りシートをマット内部に有する寝袋マットと・枕と・空気入れとを備えることを特徴とする寝袋マット。